(57)【要約】【課題】  格納や搬送がし易く、使用目的に応じて寸法の変更が可能で、さらに、敷布団等の寝具をベッド上へ安定的に配置するようにした組み立て式ベッドを提供する。【解決手段】  ベッド本体下面から起立させた起立状態と、該ベッド本体下面に沿うようにして折り畳まれた折り畳み状態とを自在に切り換えできるようになっている脚７を、ベッド本体の幅方向両側に取り付けると共に、ベッド本体の上面に寝具係止具１９を設けることにより小ベッド２とする。この小ベッド２を、連結部品３を用いて分離可能に複数連結し、連結小ベッド１とする。そして、この連結小ベッド１の上面に設けた寝具係止具１９によって、寝具５０を係止することで連結形ベッド１００とする。【選択図】図１
2005080700.tif 000002
【特許請求の範囲】
【請求項１】
隣り合う小ベッドを、連結部品を用いて分離可能に連結して複数の小ベッドを一列に連結した構造であり、しかも、各小ベッドのベッド本体に取り付けておいた寝具係止具によって、ベッド本体の上面に敷くように配置する寝具を係止して、前記寝具のベッド本体からの位置ずれを防止できるようになっていることを特徴とする連結形ベッド。
【請求項２】
前記ベッド本体が天板であり、前記寝具係止具が、前記天板上に設けられた面ファスナーであることを特徴とする請求項１記載の連結形ベッド。
【請求項３】
前記寝具係止具は、各小ベッドにおけるベッド本体の頭側と足側の両側に設けられており、幅方向両側に各小ベッドの寝具係止具が配置されていることを特徴とする請求項１または２記載の連結形ベッド。
【請求項４】
前記寝具係止具によって、ベッド本体の側部から垂れ下がるように配置する側面生地を係止出来るようになっていることを特徴とする請求項３記載の連結形ベッド。
【請求項５】
前記複数の小ベッドは、折り畳み状態と起立状態とを切り換えることが可能な脚を備え、全ての小ベッドの脚を折り畳み状態とすることで、床上に安定設置できるローベッドとして使用できることを特徴とする請求項１から４の何れかに記載の連結形ベッド。
【請求項６】
前記小ベッドの脚は、起立状態とすることでハ字形に開脚されるようになっていることを特徴とする請求項５に記載の連結形ベッド。
【発明の詳細な説明】
【技術分野】
【０００１】
本発明は、構造が簡単で、大きさを自由に変えられると共に、敷き布団等の寝具をベッド上へ安定的に配置するようにした組み立て式ベッドに関する。
【背景技術】
【０００２】
従来のベッドとしては、枠状のフレームの上にマットレスを設置するものが一般的であるが、このような構造の従来型のベッドは、組み立てや構成部材の運搬に手間が掛かる。特に、縦方向全長にわたって延在する主フレーム部材は、サイズが大きく搬送性が悪い。また、一般の家屋では、ベッドの撤去時に主フレーム部材の収容スペースに苦慮するといた不満がある。このような、搬送性や収納性についての不満に鑑みて、離間した一対の縦枠に帆布などの屈曲性と抗張力を有するシート材を張り渡し、運搬や格納など使用しないときはコンパクトに折り畳むことを可能としたベッドが種々提案されている（特許文献１から４参照）。
【０００３】
また、載置部材に起伏自在に設けられた第１の可動脚と第２の可動脚とをばね部材によって起立方向に付勢するとともに、これら可動脚をガススプリングによってほぼ水平に倒伏した状態から起立方向へ付勢できるようにしたものも提案されている（特許文献５参照）。
【特許文献１】特公平７−３６７８６号公報
【特許文献２】特開平９−８４６６３号公報
【特許文献３】特開平８−２９９１１２号公報
【特許文献４】登録実用新案第３０３６９７８号公報
【特許文献５】特開平１１−３４６８７６号公報
【発明の開示】
【発明が解決しようとする課題】
【０００４】
しかしながら、上記組み立て式ベッドは、折り畳んでもコンパクト化に限界があり、一般の家屋では収納に不便であるし、折り畳んでも、総重量が変わる訳ではないから、搬送性の向上も充分ではない。また、搬送性、収納性に鑑みて、軽量かつ簡易な構造のものも存在するが、使用時の安定性が悪い、寝心地が悪いなど、ベッドとして十分な性能が得られない。
【０００５】
また、折り畳み可能とは言っても、ベッドの縦方向の寸法、すなわち、使用時のベッドの長さ方向の寸法を変えることはできず、汎用性に乏しいといった問題もある。たとえば、子供用ベッドと大人用ベッドとの切り換えや、子供の成長に合わせて徐々に大きく（縦方向の寸法を長く）するといったことは出来ない。このため、ベッドは、使用者の体格等に応じて買い換えなどが必要であり、不経済であった。
【０００６】
また、ベッドとしては、上述のようにマットレスを使用するものの他、敷き布団等の寝具を敷いて使用するものもある。ところが、このような場合、敷き布団がずれ易いという問題があった。特に、ベッド本体（寝床を構成する部分。敷き布団等の寝具が敷かれる部分）を天板とした天板形ベッドでは、折り畳み構造のものであっても、強度や使用時の安定性を確保できる点で優れているものの、天板上に敷いた敷き布団がずれ易いといった不満があった。
【０００７】
さらに、組み立て式ベッドの場合、搬送性や収納性に鑑みて、ベッド本体を軽量かつ簡易な構成とすることが一般的であり、断熱性能の確保が難しいといった問題もある。特に天板形ベッド等は、断熱性能を考慮していないものが多く、例えば、寒冷地での使用によって天板下の空間に冷気が侵入すると、このベッドの使用者の寝心地に影響しやすいなど、断熱性、保温性の確保が難しい。
【０００８】
本発明は、上記の事情に基づきなされたものであり、その目的とするところは、ベッドとしての性能が充分に確保でき、格納や搬送がし易く、しかも、使用者の要望（使用目的）に応じて縦方向の長さを変えたり、高さを変えたり、寸法の変更が可能であり、その上、寸法の変更が可能であっても、使用時の安定性が良好な組み立て式ベッドを提供することにある。
【０００９】
また、本発明の他の目的は、敷布団等の寝具をベッド上へ安定的に配置するようにした組み立て式ベッドを提供し、更に、断熱性の確保を好適なものとする組み立て式ベッドを提供することにある。
【課題を解決するための手段】
【００１０】
本発明は、隣り合う小ベッドを、連結部品を用いて分離可能に連結して複数の小ベッドを一列に連結した構造であり、しかも、各小ベッドのベッド本体に取り付けておいた寝具係止具によって、ベッド本体の上面に敷くように配置する寝具を係止して、前記寝具のベッド本体からの位置ずれを防止できるようになっていることを特徴とする。ここで、小ベッドとは、組み立て式の最小単位となるベッドを言い、この小ベッドが複数一列に連結することにより連結形ベッドとなることは勿論のこと、この小ベッドが一つでもベッドとして使用できるものである。したがって、本発明で言う連結形ベッドは、小ベッドが他の小ベッドと連結部品を用いて複数一列に連結された構造のものの他、この小ベッドが他の小ベッドと連結されずに単独である場合のものも言う。これにより、小ベッドの連結する設置数で、縦方向寸法が自在に変えられる。勿論、複数の小ベッドに分解することも出来る。したがって、ベビー用ベッド、子供用ベッド、大人用ベッド、さらには長身用サイズのベッドにも自在に対応することが出来る。しかも、ベッド本体の上面に敷くように配置する敷き布団等の寝具をずれ難くすることが出来る。
【００１１】
また、他の発明は、上述の連結形ベッドの発明に加えて、前記ベッド本体が天板であり、前記寝具係止具が、前記天板上に設けられた面ファスナーであることを特徴とする。これにより、ベッド本体に強度が確保され、また、片付ける時には天板と敷き布団とを分離することで、折り畳みによってコンパクトに出来る。しかも、敷き布団を撤去すれば、テーブルや椅子等としての利用価値があり、家屋スペースの有効活用の点で非常に優れたものとすることが出来る。
【００１２】
また、他の発明は、上述の連結形ベッドの各発明に加えて更に、前記寝具係止具は、各小ベッドにおけるベッド本体の頭側と足側の両側に設けられており、幅方向両側に各小ベッドの寝具係止具が配置されていることを特徴とする。すなわち、前記寝具係止具が、各小ベッドのベッド本体の幅方向に沿って、頭側と足側の両側に配置されているものである。これにより、ベッド本体の上面に敷くように配置する寝具のずれを一層効果的に防止することが出来る。
【００１３】
また、他の発明は、幅方向両側に各小ベッドの寝具係止具が配置されている上述の連結形ベッドの発明に加えて更に、前記寝具係止具によって、ベッド本体の側部から垂れ下がるように配置する側面生地を係止出来るようになっていることを特徴とする。これにより、天板下の空間への冷気の進入が側面生地によって防止され、天板下に保温空気層を確保することが出来る。
【００１４】
また、他の発明は、上述の連結形ベッドの各発明に加えて更に、前記複数の小ベッドは、折り畳み状態と起立状態とを切り換えることが可能な脚を備え、全ての小ベッドの脚を折り畳み状態とすることで、床上に安定設置できるローベッドとして使用できることを特徴とする。これにより、高さ寸法が小さく変えられ、格納性が良好なものである。また、簡単にローベッドに切り換えることができると共に、ローベッドから通常のベッドにすることも簡単に行なえる。さらに、持ち運び搬送も容易に行なうことが出来る。しかも、初めてベッドを使用する者がベッドから落ちて怪我してしまうことが防止される。したがって、ベッドに慣れるまでローベッド状態で使用し、慣れてから通常のベッドとして使用することが出来る。
【００１５】
また、他の発明は、上述の連結形ベッドの各発明に加えて更に、前記小ベッドの脚は、起立状態とすることでハ字形に開脚されるようになっていることを特徴とする。これにより、小ベッドを最も安定した状態で維持することが出来る。
【発明の効果】
【００１６】
以上のように本発明の連結形ベッドによれば、格納や搬送がし易く、使用目的に応じて縦方向の長さや高さといった寸法を変更することが出来ると同時に、敷き布団等の寝具のベッド本体からの位置ずれを防止することができる。しかも、小ベッド同士のずれを防止することが出来るので、敷き布団を面ファスナー等の寝具係止具よって止めても、小ベッド間の連結がしっかりしており、小ベッド間に位置ずれを生じないようになっているため、敷き布団に皺が寄らない。したがって、寝具としての敷き布団のずれ易い天板形のベッドを採用することが出来る。また、側面生地としての側面ファートンについても、小ベッド同士のずれを防止することが出来るので、皺が寄ることを防止でき、見栄えの良い装飾効果の高いものとすることが出来る。
【００１７】
また、 本発明の連結形ベッドによれば、子供の成長や、使用者に応じて、所望の連結形ベッドとすることが出来る。また、本発明の連結形ベッドは、寸法の変更が可能な複数の小ベッドから構成されるものであるにも拘らず、使用時の安定性が良好なものとすることが出来る。しかも、本発明の連結形ベッドは、寝心地が良く、ベッドとしての性能も充分に確保することが出来る。さらに、本発明の連結形ベッドは、連結した小ベッドの位置を定期的に換えることで、特定の小ベッドだけが著しく傷んでしまうことを防ぐことが出来る。
【００１８】
さらに、本発明の連結形ベッドによれば、側面生地の取り付けによって天板下の空間への冷気の進入を防止でき、天板下に保温空気層を確保することで寒冷地での使用に適応することが出来る。すなわち、ベッドの脚の折り畳み性等に鑑みると、天板下に空間が確保されることは避けられないが、この側面生地の設置によって冷気の侵入を防止できることで、天板下を空間のままにしておくことが可能になる。したがって、ベッドの脚の折り畳み性等を確保することが出来る。
【発明を実施するための最良の形態】
【００１９】
以下、本発明の一例について図面に基づき説明する。図１は、本発明に係る連結可能な小ベッド（以下、「連結形ベッド」と称する場合がある）を連結部材により連結し、その上面に設置し、それぞれが、小ベッドに対応した大きさを有する、複数の敷き用の布団等の寝具（以下、複数の敷き用の布団をまとめて「敷き布団」と称する場合がある）を、寝具係止具によって係止する状態を示す斜視図である。また、図２は、寝具係止具が設けられた小ベッドを、隣り合うベッドがあると仮定して連結部品により連結した状態を示す斜視図である。図３は、脚が起立した状態の小ベッドに敷き布団を設置する状態の正面を表す正面図であり、図４は、脚が起立した状態の小ベッドの側面を表す側面図であり、図５は、この小ベッドの脚が折り畳まれた状態の底面を表す底面図である。
【００２０】
本発明に係る連結形ベッド１００は、図１に示すように、互いに隣り合う小ベッド２，２（２−１，２−２）と、この隣り合う小ベッド２同士を一列に連結する連結部材３と、この小ベッド２が複数連結された連結小ベッド１の上面に設置される寝具５０とから構成される。この隣り合う小ベッド２−１，２−２は、連結部品３により分離可能に連結されている。
尚、本発明に係る連結形ベッド１００においては、隣り合う小ベッド２，２が連結されている状態において、長手方向（図１１、１２の左右方向）を縦方向と定義し、短手方向（縦方向に直交する方向。図１１、１２においては紙面奥行方向）を幅方向と定義している。
【００２１】
小ベッド２は、図２に示すように、ベッド本体６と、このベッド本体６上面に取り付けられた寝具係止具１９と、このベッド本体６下面に設けられた脚７とからなる。
ベッド本体６は、ここでは木製の天板である。以下、ベッド本体６を、「天板」と称する場合がある。
【００２２】
また、ベッド本体６は、図３から５に示すように、下面側幅方向に沿う横枠２０と、下面側縦方向に沿う縦枠２１とを具備する。
横枠２０は、頭側に設けられた頭側横枠２０ａと足側に設けられた足側横枠２０ｂとからなる。
縦枠２１は、幅方向各両端側にそれぞれ設けられている。この縦枠２１の両端部、すなわち頭側端部２１ａ及び足側端部２１ｂには、何れも後述するジョイント部品４を取付けるための凹状をしたジョイントピン挿入孔１１（１１ａ，１１ｂ）がそれぞれ設けられている。
そして、頭側横枠２０ａと足側横枠２０ｂの幅方向各端部に、この縦枠２１，２１をそれぞれ取り付けることにより枠状のフレームを形成する。
したがって、ベッド本体６は、天板だけではなく、枠状のフレームを有している。
【００２３】
また、横枠２０の長さ方向端部側下方には、脚固定ストッパ１８が設けられている（図４、図１６〜１８参照）。
図１６におけるように、この脚固定ストッパ１８は、横枠２０に固定されるストッパ固定部６９と、ストッパ固定部６９と一体であり、直方体状で、両側面部に孔部６１が形成され、背面部に孔部６２が形成されたストッパハウジング部６３と、ストッパハウジング部６３内に位置し、ストッパハウジング部６３の両側面部の孔部６１から突出するストッパ係合部６４、ストッパ係合部６４を支持するストッパ係合部支持部６５、および、ストッパ係合部支持部６５に連なる手動操作部６６と、を備えている。また、ストッパ係合部６４は、ストッパ係合部支持部６５に外挿されたバネ６８により、孔部６１内を移動可能な状態で、脚７側に押し付けられている。
脚７を折り畳み状態から起立状態とする際、脚７に設けられている突出部６７は、脚固定ストッパ１８のストッパ係合部６４を乗り越えつつ移動して、脚７が起立状態となる。脚７が起立状態となった際、誤って、脚７が折り畳み状態にされようとしても、ストッパ係合部６４が、脚７に設けられている突出部６７に係合することにより、脚７が折り畳まれることを防止している。また、脚７を折り畳みたい場合には、脚固定ストッパ１８の手動操作部６６を、ストッパハウジング部６３から引き出す方向に移動させることにより、ストッパ係合部６４がストッパハウジング部６３内を移動して、脚７に設けられている突出部６７と係合することはなくなって、脚７を折り畳むことができる。
なお、脚固定ストッパ１８は、ここでは横枠２０の長さ方向何れか一方の端部側下方に設けられている。
【００２４】
寝具係止具１９は、小ベッド２の上面に取り付けられている。寝具係止具１９は、ここでは係脱自在な面ファスナーである。以下、寝具係止具１９を、「面ファスナー」と称する場合がある。
【００２５】
この寝具係止具１９は、各小ベッド２のベッド本体６の対抗する両側に設けられており、ここでは各小ベッド２の天板６の幅方向に沿って、頭側と足側の両側に帯状に配置されている。
【００２６】
脚７は、支脚８と脚下連結部９とから構成されている（図４及び図５参照）。
支脚８は、ベッド本体６の下面より延在する棒状体であり、一端側が、く字状に曲がって、回転固定軸１４を介して回動自在に横枠２０に取り付けられている。
脚下連結部９は、一端側が横枠２０に取り付けられた支脚８の他端側に取り付けられるものであり、頭側の横枠２０ａに取り付けられた頭側支脚８ａの他端と足側の横枠２０ｂに取り付けられた足側支脚８ｂの他端とを、互いに連結する。即ち、脚下連結部９は、頭側支脚８ａと足側支脚８ｂの先端同士を連結するものである。
そして、この脚７は、ベッド本体６に具備された頭側横枠２０ａ及び足側横枠２０ｂの幅方向両側にそれぞれ取付けられている（図５参照）。
【００２７】
これにより、脚７は、ベッド本体６に具備された横枠２０（２０ａ，２０ｂ）の幅方向両端側において、それぞれ回転固定軸１４，１４を介してから起立させた起立状態と、該ベッド本体６の下面に沿うようにして折り畳まれた折り畳み状態とを自在に切り換えできるように取り付けられている（図３参照）。即ち、脚７は、回転軸１４を中心とする、縦方向に沿った軸線回りの回転により、起立したり、折り畳んだりすることができる。
しかも、脚７は、折り畳み状態とすることで、後述するローベッドとして使用したり、不要時に格納したり、または必要な箇所へ搬送したりすることが出来る。
【００２８】
また、脚下連結部９の頭側へ突出する頭側端突部９ａ及び足側へ突出する足側端突部９ｂには、何れも後述するジョイント部品５を取付けるための凹状をしたジョイントピン挿入孔１２（１２ａ，１２ｂ）がそれぞれ設けられている。
そして、縦枠２１に設けられた接地部１７ａは、下方に突出する突起状であり、脚７を折り畳んでローベッドとして使用する際（図１２参照）に、脚７が直接床面等に接地しないように保護している。
【００２９】
また、脚７は、小ベッド２を複数連結して構成される連結形ベッド１の縦方向に沿って延在し、かつ、隣接する別の小ベッド２の脚７（支脚８）と固定する際に、連結部品３を取り付ける連結固定部１０が設けられている。隣り合う小ベッドは、一方の小ベッド２の脚７の足側支脚８ｂの連結固定部１０と、他方の小ベッドの脚７の頭側支脚８ａの連結固定部１０とを、連結部品３で固定することで連結される。
この、連結固定部１０は、脚７の支脚８における頭側端部と足側端部とに設けられ、本実施の形態の場合、連結部品３の挿通を可能とする、支脚８を貫通する連結部品挿通穴を言う（図３及び図４参照）。
したがって、隣り合う小ベッドは、一方の小ベッド２の脚７の足側支脚８ｂに形成された連結部品挿通穴１０と、他方の小ベッドの脚７の頭側支脚８ａに形成された連結部品挿通穴１０とに、連結部品３を挿通し固定することで連結される。
これにより、一つの小ベッドの脚に集中して負荷が掛かることなく、隣り合う他の小ベッドの脚へ負荷を分散させることが出来る。したがって、小ベッドの脚の起立状態を維持し、小ベッドの脚の耐久性が向上するものとなる。
【００３０】
また、脚７における支脚８及び脚下連結部９には、弾性を有する部材よりなる接地部１７ａ，１７ｂが形成されている。
支脚８に形成された接地部１７ａは、下方を向いており、脚下連結部９部分に形成された接地部１７ｂは、脚下連結部９の周囲を被覆するよう巻き付いた状態となっている。
そして、接地部１７ａは、脚７を折り畳み状態とした際、脚７が直接床面等に接地しないように保護している。
【００３１】
一方、連結部品３は、図１、図２、図６及び図９に示すように、隣り合って配置された一方の小ベッド２（２−１）と他方の小ベッド２（２−２）とを一体的に連結するボルト３１と、このボルト３１と互いにねじ合わさって締め付け固定するナット３２からなる。
ボルト３１は、操作ノブ３３とねじ棒３４とを有する。
操作ノブ３３は、ボルト３１とナット３２とをねじ合わせる作業において、指で回転操作することが可能な大きさをしている。
ねじ棒３４は、この操作ノブ３３の一方の面に延在し、その外周面に、ナット３２とねじ合わされるねじが切られている。
ナット３２は、ボルト３１のねじ棒３４部分が挿通可能なねじ穴３５を有する環状部材であり、ねじ穴３５内周面には、ボルト３１のねじ棒３４とねじ合わされるねじが切られている。
【００３２】
以上のような構成の連結部品３は、工具を用いることなく、手動で連結及び解体（連結解除）することが出来る。
すなわち、ここでは、まずボルト３１のねじ棒３４部分を、互いに隣り合う脚７，７の隣接する一方の支脚８，８に設けた連結固定部としての連結部品挿通穴１０，１０に同時に挿通する。
次いで、ねじ棒３４の先端にナット３２のねじ穴３５をあてがい、ボルト３１の操作ノブ３３もしくはナット３２を指で回転操作する。
これにより、ボルト３１とナット３２とをねじ合わせが簡単に行なえ、互いに隣り合う脚７，７同士を固定することが出来る。
【００３３】
また、図１０に示すように、ジョイント部品４，５（上方位置決め部品４、下方位置決め部品５）は、ここでは何れもスペーサ付きのジョイントピンである。以下、ジョイント部品を、「ジョイントピン」と称する場合もある。
ジョイント部品４，５は、スペーサ４１（または５１）と、挿入固定凸部４２ａ，４２ｂ（または５２ａ，５２ｂ）を有する。
スペーサ４１（５１）は、図１０に示すように、所定の幅（厚み）を有し、互いに連結するベッド本体６−１，６−２（縦枠２１−１，２１−２）同士の突き当て部分、または、互いに連結する脚７−１，７−２（支脚９−１，９−２）同士の突き当て部分に介在する。
挿入固定凸部４２ａ，４２ｂ（５２ａ，５２ｂ）は、スペーサ４１，５１の両側よりそれぞれ延在する所定の長さを有し、ジョイントピン挿入孔１１ａ，１１ｂ，１２ａ，１２ｂにそれぞれ挿入される。
【００３４】
すなわち、図６から８に示すように、隣り合う小ベッド２−１，２−２が、一方の小ベッド２−１の縦枠２１−１の足側端部２１ｂ−１、及び他方の小ベッド２−２の縦枠２１−２の頭側端部２１ａ−２との、足側端部２１ｂ−１と頭側端部２１ａ−２とを位置決めするジョイント部品４を介した突き当て（図７参照）と、一方の小ベッド２−１の脚７−１の脚下連結部９−１の足側端突部９ｂ−１、及び他方の小ベッド２−２の脚７−２の脚下連結部９−２の頭側端突部９ａ−２との、足側端突部９ｂ−１と頭側端突部９ａ−２とを位置決めするジョイント部品５を介した突き当て（図８参照）とを伴って、互いに連結される。
【００３５】
これにより、隣り合う小ベッド２，２は、一方のベッド本体６−１の縦枠２１−１における足側２１ｂ−１と、他方のベッド本体６−２の縦枠２１−２における頭側２１ａ−２とのジョイント部品４を介した突き当てによる上方連結、及び一方のベッド本体６−１の脚７−１の脚下連結部９−１における足側端突部９ｂ−１と、他方のベッド本体６−２の脚７−２の脚下連結部９−２における頭側端突部９ａ−２とのジョイント部品５を介した突き当てによる下方連結により、その間の支脚８−１，８−２同士が離間した強固な枠状構造が形成され、安定な連結が実現されることとなる。
【００３６】
さらに、各支脚８の連結固定部は、ジョイント部品４を介した突き当てによる上方連結部とジョイント部品５を介した突き当てによる下方連結部との中間部分に位置しており、連結部品３を用いて、脚７−１，７−２の支脚８−１，８−２同士を分離可能に連結し固定することで、組み立て時の安定性を良好なものとする。
すなわち、小ベッド２−１、２−２同士の上方連結部及び下方連結部を形成したとき、
脚７−１，７−２の支脚８−１，８−２同士は、互いに離間しているが、この支脚８−１、８−２の連結固定部間を連結部品３を用いて締め付けると、その緊締力（支脚８−１、８−２間を近付けるように作用する）が上下のジョイント部品４及び５部分に掛かり、安定した連結固定が達成される。
【００３７】
したがって、一つの小ベッド２の脚７にかかる負荷は連結された他の脚７に分散され、脚７は、集中的な負荷を避けて破損が抑止されると共に、互いに隣り合う小ベッド２，２同士の横ずれも防止されることとなる。
【００３８】
また、寝具５０は、隣り合う複数の小ベッド２を一列に連結することにより形成される連結小ベッド１の上面に設置される。寝具５０は、ここでは敷き布団である。以下、寝具５０を、「敷き布団」と称する場合がある。
この寝具５０は、たとえばポリエステル硬綿や羊毛綿、木綿綿、ウレタンフォーム、およびそれらの積層体等が用いられており、マットレス程の体が沈み込むような柔軟性はないが、弾力性、通気性、耐久性等の機能を有する。
したがって、この寝具５０は、天板６の上に敷設することで、ちょうど畳みの上に敷き布団を敷いたような感じのものとなる。
また、この寝具５０は、それぞれが、複数の小ベッド２の大きさ及び形状に適合して、複数に分割されている。しかしながら、これに限らず、連結小ベッド１の上面の大きさ及び形状に適合する１枚のものとしても良い。
なお、寝具５０の裏面には、面ファスナー１９と係合自在な他の面ファスナーが別途取り付けられている。勿論、寝具５０の裏面を、天板６上に取り付けられた面ファスナー１９と係合自在な起毛構造とするようにしても良い。
【００３９】
そして、以上のように構成された小ベッド２は、使用目的に応じて、たとえば以下のように連結（デザイン）して用いることが出来る。
まず、三つの小ベッド２−１，２−２，２−３を一列に並べ（図１参照）、上述したジョイント部品４，５を介在させて隣り合う脚７，７同士を、連結部品３を用いて固定する（図６参照）。
このようにして、まず、三つの小ベッド２−１，２−２，２−３が一列に連結固定された連結小ベッド１を形成する（図１参照）。
【００４０】
次いで、この連結小ベッド１における頭側の小ベッド２−１に、ヘッドプレート１５を取り付ける。
このヘッドプレート１５の小ベッド２−１に対する取り付けは、ベッド本体６に設けられたジョイントピン挿入孔１１を利用する。すなわち、このヘッドプレート１５の下方に設けられた略Ｌ字状をした取付けアーム１６を、頭側に配置される小ベッド２−１における頭側のジョイントピン挿入孔１１ａへ挿入するものとする。
【００４１】
さらに、この連結小ベッド１の上に敷き布団５０を配置し、各小ベッド２−１，２−２，２−３の上面に設けられた面ファスナーよりなる複数の寝具係止具１９・・１９によって、この敷き布団５０を連結小ベッド１の天板６上に係止する。
そして、全ての小ベッド２−１，２−２，２−３の脚７を、ベッド本体下面から起立させた起立状態とすることで、図１１に示す第一の連結形ベッド１００Ａとして使用することが出来る。
これにより、面ファスナー１９によって敷き布団５０を係止し、天板６からの落下を防止する。
【００４２】
また、連結形ベッド１００Ａは、全ての小ベッド２−１，２−２，２−３の脚７を、ベッド本体下面に沿うようにして折り畳まれた折り畳み状態とすることで、図１２に示す第二の連結形ベッド１００Ｂに変化させ、床上に安定設置できるローベッドとして使用することが出来る。
この際、小ベッド２−１，２−２，２−３は、それぞれの縦枠２１に設けた接地部１７ａが床上に設置するものとなる。
そして、この連結形ベッド１Ｂは、この逆に、全ての小ベッド２−１，２−２，２−３の脚７を起立状態とすることで、通常の連結形ベッド１Ａとすることも簡単に出来る。
【００４３】
また、本発明は、図１３及び図１４に示すように、上述した寝具５０に代えて側面生地６０を寝具係止具１９・・１９に係止させるようにしても良い。
この側面生地６０は、ここでは吸放湿性が高く、弾力性、保温性に優れた子羊の毛皮で作った布団を言い、側面ファートンと称されるものである。以下、側面生地６０を、「側面ファートン」と称する場合がある。
この側面生地６０（６０−１，６０−２，６０−３，６０−４・・）は、上述した連結小ベッド１を構成する各小ベッド２−１，２−２，２−３の天板６の側部に、それぞれ垂れ下がるように順次配置する。そして、側面生地６０の左右上端部（すなわち、上端部の頭側と足側）を、各小ベッド２−１，２−２，２−３の上面に設けられた面ファスナーよりなる複数の寝具係止具１９・・１９によって係止する（図１３参照）。
この際、全ての小ベッド２−１，２−２，２−３の脚７を、ベッド本体下面から起立させた起立状態とすることで、図１４に示す第三の連結形ベッド１１０として使用することが出来る。
【００４４】
これにより、天板６下の空間への冷気の進入が防止され、天板下に保温空気層を確保することが出来る。また、小ベッド２−１，２−２，２−３の脚７や、連結部品３が外部から見えないように隠し、連結小ベッド１の側面の装飾効果を高めることが出来る。
また、この連結形ベッド１１０は、勿論、全ての小ベッド２−１，２−２，２−３の脚７を、ベッド本体下面に沿うようにして折り畳まれた折り畳み状態とすることで、ローベッドとして使用することも出来る。
なお、寝具５０の裏面には、面ファスナー１９と係合自在な他の面ファスナーが別途取り付けられている。勿論、寝具５０の裏面を、天板６上に取り付けられた面ファスナー１９と係合自在な起毛構造とするようにしても良い。
【００４５】
さらに、本発明は、上述した寝具５０と共に、上述した側面生地６０を寝具係止具１９・・１９に係止させるようにしても良い。
すなわち、最初に、上述した連結小ベッド１を構成する各小ベッド２−１，２−２，２−３のベッド本体６の周側部に、この側面生地６０（６０−１，６０−２，６０−３）がそれぞれ垂れ下がるように順次配置し、この側面生地６０の左右上端部を、各小ベッド２−１，２−２，２−３の上面に設けられた面ファスナーよりなる複数の寝具係止具１９・・１９によって係止する。
次いで、この連結小ベッド１の上に敷き布団５０を配置し、この敷き布団５０を、各小ベッド２−１，２−２，２−３の上面に設けられた面ファスナーよりなる複数の寝具係止具１９・・１９によって係止する。
この際、最初に設置された側面ファートン６０−１，６０−２，６０−３の上端部は、敷き布団５０の長さ方向端部下面によって押さえられ、天板６の上面と挟み込むようにしている。
そして、全ての小ベッド２−１，２−２，２−３の脚７を、ベッド本体下面から起立させた起立状態とすることで、図１５に示す第四の連結形ベッド１２０として使用することが出来る。
この連結形ベッド１２０も、勿論、全ての小ベッド２−１，２−２，２−３の脚７を、ベッド本体下面に沿うようにして折り畳まれた折り畳み状態とすることで、ローベッドとして使用することも出来る。
【００４６】
なお、本発明は上述した実施の形態に限らず、使用者の要望応じて、縦方向の長さの寸法の変更が可能なものである。したがって、たとえば小ベッドの連結数を二つにして子供用ベッドとしたり、小ベッドの連結数を四つ以上にして長身用サイズのベッドとしたりすることが出来る。勿論、小ベッドを連結せず単独で用いてベビー用ベッドとすることも出来る。
【図面の簡単な説明】
【００４７】
【図１】本発明に係る連結可能な小ベッドを連結部材により連結し、その上面に設置する敷き布団等の寝具を、寝具係止具によって係止する状態を示す斜視図である。
【図２】本発明に係る寝具係止具が設けられた小ベッドを、隣り合うベッドがあると仮定して連結部品により連結した状態を示す斜視図である。
【図３】本発明に係る寝具係止具が設けられた小ベッドに敷き布団を設置する、脚が起立した状態のベッドの正面を表す正面図である。
【図４】本発明に係る寝具係止具が設けられた小ベッドの脚が起立した状態の側面を表す側面図である。
【図５】本発明に係る寝具係止具が設けられた小ベッドの脚が折り畳まれた状態の底面を表す底面図である。
【図６】本発明に係る小ベッド同士の連結状態を示す部分側面図である。
【図７】［図６］に係るベッド本体同士の連結状態を示す部分拡大側面図である。
【図８】［図６］に係る脚下連結部同士の連結状態を示す部分拡大側面図である。
【図９】本発明に係る小ベッドを連結する連結部品の構成を説明する分解斜視図である。
【図１０】本発明に係る小ベッドの連結時に使用するジョイント部品を説明する斜視図である。
【図１１】本発明に係る寝具係止具が設けられた小ベッドを連結し、その上面に寝具を設置した使用状態を説明する側面図である。
【図１２】本発明に係る寝具係止具が設けられた小ベッドを連結し、その上面に寝具を設置した他の使用状態を説明する側面図である。
【図１３】本発明に係る連結可能な小ベッドを連結部材により連結し、その側面に設置する側面生地を、寝具係止具によって係止する状態を示す斜視図である。
【図１４】本発明に係る寝具係止具が設けられた小ベッドを連結し、その側面に側面生地を設置した使用状態を説明する側面図である。
【図１５】本発明に係る寝具係止具が設けられた小ベッドを連結し、その上面に寝具を設置すると共に、その側面に側面生地を設置した使用状態を説明する側面図である。
【図１６】本発明に係る脚固定ストッパと折り曲げ状態の脚との関係を示す側面図である。
【図１７】本発明に係る脚固定ストッパと起立状態の脚との関係を示す側面図である。
【図１８】本発明に係る脚固定ストッパを示す詳細図である。
【符号の説明】
【００４８】
１・・・連結小ベッド、２（２−１，２−２，２−３）・・・小ベッド、
３・・・連結部品、４，５・・・ジョイント部品、
６（６−１，６−２）・・・ベッド本体（天板）、
７・・・脚、８（８−１，８−２）・・・支脚、
９（９−１，９−２）・・・脚下連結部、９ａ・・・頭側端突部、９ｂ・・・足側端突部、
１０・・・連結固定部（連結部品挿通穴）
１１，１２（１１ａ，１１ｂ，１２ａ，１２ｂ）・・・ジョイントピン挿入孔、
１４・・・回転軸、１５・・・ヘッドプレート、１６・・・取付けアーム、
１７ａ，１７ｂ・・・接地部、１８・・・脚固定ストッパ、
１９・・・寝具係止具（面ファスナー）、２０・・・横枠、
２０ａ・・・頭側横枠、２０ｂ・・・足側横枠、
２１・・・縦枠（２１−１，２１−２）、２１ａ・・・頭側端部、２１ｂ・・・足側端部、
３１・・・ボルト、３２・・・ナット、３３・・・操作ノブ、３４・・・ねじ棒、
３５・・・ねじ穴、４１，５１・・・スペーサ、５０・・・寝具（敷き布団）、
４２ａ，４２ｂ，５２ａ，５２ｂ・・・挿入固定凸部、
６０（６０−１，６０−２，６０−３）・・・側面生地（側面ファートン）、
１００（１００Ａ，１００Ｂ），１１０，１２０・・・連結形ベッド。
【図１】
2005080700.tif 000003
【図２】
2005080700.tif 000004
【図３】
2005080700.tif 000005
【図４】
2005080700.tif 000006
【図５】
2005080700.tif 000007
【図６】
2005080700.tif 000008
【図７】
2005080700.tif 000009
【図８】
2005080700.tif 000010
【図９】
2005080700.tif 000011
【図１０】
2005080700.tif 000012
【図１１】
2005080700.tif 000013
【図１２】
2005080700.tif 000014
【図１３】
2005080700.tif 000015
【図１４】
2005080700.tif 000016
【図１５】
2005080700.tif 000017
【図１６】
2005080700.tif 000018
【図１７】
2005080700.tif 000019
【図１８】
2005080700.tif 000020